(57)【要約】【課題】最適な農薬容器の組み合わせを見積もること。【解決手段】農薬見積装置１００は、希釈した農薬を収容するタンク容量の情報と、農薬の希釈倍率の情報とを受け付ける。農薬見積装置１００は、タンク容量の情報、農薬容器の情報、農薬の希釈倍率の情報等を含んだ使用条件を基にして、農薬容器に収容された農薬を希釈倍率で希釈してタンクの容量を満たす場合に、農薬容器に収容された農薬を使い切り、かつ、値段が低い農薬容器の容量の組み合わせを判定する。【選択図】図１
2015185072.tif 000002
【特許請求の範囲】
【請求項１】
希釈する前の農薬を収容し各段階の容量に応じて値段が設定された第１容器の情報を記憶する記憶部と、
希釈した農薬を収容する第２容器の情報と、農薬の希釈倍率の情報とを受け付ける受付部と、
前記第１容器の情報と、前記第２容器の情報と、前記希釈倍率の情報とを基にして、前記第１容器に収容された農薬を前記希釈倍率で希釈して前記第２容器の容量を満たす場合に、前記第１容器に収容された農薬を使い切り、かつ、値段が低い前記第１容器の容量の組み合わせを判定する判定部と
を有することを特徴とする農薬見積装置。
【請求項２】
前記判定部は、前記第１容器に収容された農薬を使い切る組み合わせが存在しない場合には、農薬の種別に応じた所定の範囲内で前記希釈倍率の補正を受け付け、補正後の希釈倍率に基づいて、収容された農薬を使い切る第１容器の組み合わせを特定し、補正後の希釈倍率と、第１容器の組み合わせを出力することを特徴とする請求項１に記載の農薬見積装置。
【請求項３】
前記記憶部は、農薬の種別に応じた所定の範囲内に含まれる複数種類の希釈倍率毎に、収容された農薬を使い切る第１容器の組み合わせを示すテーブルを記憶し、前記判定部は、前記テーブルの情報を表示して、前記テーブルに含まれる希釈倍率のいずれかの選択を受け付け、受け付けた希釈倍率と前記テーブルとを基にして、第１容器の組み合わせを判定することを特徴とする請求項２に記載の農薬見積装置。
【請求項４】
前記判定部は、前記第１容器に収容された農薬を使い切る組み合わせが存在しない場合には、前記第２容器の容量を変更し、変更後の第２容器の容量と、前記第１容器の情報と、前記希釈倍率の情報とを基にして、前記第１容器に収容された農薬を前記希釈倍率で希釈して前記第２容器の容量を満たす場合に、前記第１容器に収容された農薬を使い切り、かつ、値段が低い前記第１容器の容量の組み合わせを判定することを特徴とする請求項１、２または３に記載の農薬見積装置。
【請求項５】
前記判定部は、農薬の単位散布量、使用回数、作付品目、作付面積を基にして希釈した農薬の使用量を算出し、前記農薬の使用量を前記第２容器の容量で除算した結果を基にして、前記第１容器に収容された農薬を使い切る第１容器の容量の組み合わせを補正することを特徴とする請求項１または２に記載の農薬見積装置。
【請求項６】
コンピュータが実行する農薬見積方法であって、
希釈した農薬を収容する第２容器の情報と、農薬の希釈倍率の情報とを受け付けた場合に、希釈する前の農薬を収容し各段階の容量に応じて値段がそれぞれ異なる第１容器の情報を記憶する記憶装置を参照し、
前記第１容器の情報と、前記第２容器の情報と、前記希釈倍率の情報とを基にして、前記第１容器に収容された農薬を前記希釈倍率で希釈して前記第２容器の容量を満たす場合に、前記第１容器に収容された農薬を使い切り、かつ、値段が低い前記第１容器の容量の組み合わせを判定する
処理を実行することを特徴とする農薬見積方法。
【発明の詳細な説明】
【技術分野】
【０００１】
本発明は、農薬見積装置等に関する。
【背景技術】
【０００２】
従来、農家の作業員は、農薬を散布する対象作物の作付面積と、農薬の希釈倍率、単位面積あたりの散布量から農薬の必要量を特定し、必要量に応じた農薬の費用の見積を行っている。
【０００３】
ここで、農薬を収容する農薬容器の容量は２５０ｍｌ、５００ｍｌ等、段階的なものであるため、作業員は、農薬の必要量を算出した後に、農薬の必要量を補うことができる農薬容器の組み合わせを選び、農薬を購入する。
【先行技術文献】
【特許文献】
【０００４】
【特許文献１】特開２００３−１８９７４２号公報
【発明の概要】
【発明が解決しようとする課題】
【０００５】
しかしながら、上述した従来技術では、最適な農薬容器の組み合わせを見積もることができないという問題がある。
【０００６】
現在、農薬散布の作業では安全生の確保が重要視されている。また、農薬購入時の見積において、単に農薬の必要量から、最も安い購入方法を考えて算出するだけでなく、農薬を希釈する作業の安全性を考慮し、タンクの容量に合わせて農薬容器単位で「使い切る」ことが望ましい。例えば、タンクを水で満たし、農薬容器の農薬をすべてタンクに入れた場合に、所望の希釈倍率の農薬を作成することができれば、作業が単純になり、作業員のミスを予防することができる。
【０００７】
しかし、現状では、作業員が、農薬容器の農薬を使い切れるような見積を行うことは難しい。このため、計量容器を使い農薬容器から農薬を計りタンクに入れる方法をとるが、この場合、作業員のミスが起こりやすく、農薬容器から農薬がこぼれ、作業員の衣服に付着する恐れや、動植物に影響を与える恐れがある。
【０００８】
１つの側面では、最適な農薬容器の組み合わせを見積もることができる農薬見積装置および農薬見積方法を提供することを目的とする。
【課題を解決するための手段】
【０００９】
第１の案では、農薬見積装置は、記憶部と、受付部と、判定部とを有する。記憶部は、希釈する前の農薬を収容し各段階の容量に応じて値段が設定された第１容器の情報を記憶する。受付部は、希釈した農薬を収容する第２容器の情報と、農薬の希釈倍率の情報とを受け付ける。判定部は、第１容器の情報と、第２容器の情報と、希釈倍率の情報とを基にして、第１容器に収容された農薬を前記希釈倍率で希釈して第２容器の容量を満たす場合に、第１容器に収容された農薬を使い切り、かつ、値段が低い前記第１容器の容量の組み合わせを判定する。
【発明の効果】
【００１０】
本発明の１実施態様によれば、最適な農薬容器の組み合わせを見積もることができるという効果を奏する。
【図面の簡単な説明】
【００１１】
【図１】図１は、本実施例に係る農薬見積装置の構成を示す機能ブロック図である。
【図２】図２は、農薬適用情報のデータ構造の一例を示す図である。
【図３】図３は、使い切り表情報のデータ構造の一例を示す図である。
【図４】図４は、使い切り情報のデータ構造の一例を示す図である。
【図５】図５は、判定部が表示部に表示させる画面の一例を示す図である。
【図６】図６は、各使用条件と適用情報との関係を示す図である。
【図７】図７は、本実施例に係る農薬見積装置の処理手順を示すフローチャートである。
【図８】図８は、使用条件を受け付ける処理手順を示すフローチャートである。
【発明を実施するための形態】
【００１２】
以下に、本願の開示する農薬見積装置および農薬見積方法の実施例を図面に基づいて詳細に説明する。なお、この実施例によりこの発明が限定されるものではない。
【実施例】
【００１３】
図１は、本実施例に係る農薬見積装置の構成を示す機能ブロック図である。図１に示すように、この農薬見積装置１００は、通信部１１０と、入力部１２０と、表示部１３０と、記憶部１４０と、制御部１５０とを有する。
【００１４】
通信部１１０は、ネットワークを介して、外部装置と通信を実行する処理部である。通信部１１０は、通信装置に対応する。
【００１５】
入力部１２０は、作業員等が農薬見積装置１００にデータを入力するための入力装置である。例えば、入力部１２０は、キーボードや入力キー、タッチパネル等に対応する。表示部１３０は、後述する制御部１５０から出力されるデータ等を表示する表示装置である。表示装置１３０は、例えば、ディスプレイやタッチパネル等に対応する。
【００１６】
記憶部１４０は、農薬適用情報１４０ａおよび使い切り表情報１４０ｂを有する。例えば、記憶部１４０は、ＲＡＭ（Random  Access  Memory）、ＲＯＭ（Read  Only  Memory）、フラッシュメモリ（Flash  Memory）などの半導体メモリ素子や、ＨＤＤ（Hard  Disk  Drive）などの記憶装置に対応する。
【００１７】
農薬適用情報１４０ａは、農薬に関する各種の情報を保持するテーブルである。図２は、農薬適用情報のデータ構造の一例を示す図である。図２に示すように、この農薬適用情報１４０ａは、農薬名と、作付品目と、適用病害虫と、希釈倍率と、使用液量と、使用回数と、容量／値段とを対応付ける。
【００１８】
このうち、農薬名は、農薬の名称を示す。作付品目は、農薬を用いる作物を示す。適用病害虫は、該当農薬が有効な病害虫を示す。希釈倍率は、許容される農薬の希釈倍率を示す。使用液量は、許容される１０ａあたりの使用液量を示す。使用回数は、同一の作物に対して許容される農薬の使用回数である。容量／値段は、容量に対する農薬の値段を示す。
【００１９】
例えば、図２の１段目のレコードにおいて、農薬名「Ａ乳剤」は、白菜に害を与えるアオムシの駆除に用いられる旨が示される。農薬名「Ａ乳剤」は、希釈倍率を「２０００〜３０００倍」に希釈して用いること、使用液量を「１００〜３００Ｌ／１０ａ」とすること、使用回数を「３回以内」とすることが、定められている。また、農薬名「Ａ乳剤」の農薬容器は、例えば、Ａ乳剤が「２５０ｍｌ」入った農薬容器とＡ乳剤が「５００ｍｌ」入った農薬容器とがある。「２５０ｍｌ」の農薬容器の値段は、１本「２４７０円」であり、「５００ｍｌ」の農薬容器の値段は、１本「４７８０円」である。
【００２０】
使い切り表情報１４０ｂは、タンクの容量と、農薬容器を使い切るための希釈倍率との関係を保持するテーブルである。図３は、使い切り表情報のデータ構造の一例を示す図である。図３に示すように、この使い切り表情報１４０ｂは、タンク容量と、農薬名と、使い切り情報とを対応付ける。タンク容量は、タンクの容量を示す。農薬名は、農薬の名称を示す。使い切り情報は、タンク容量に応じた、農薬容器を使い切るための希釈倍率の情報を示す。
【００２１】
図４は、使い切り情報のデータ構造の一例を示す図である。図４は一例として、タンク容量「１０００Ｌ」、農薬名「Ｂ水溶剤」に対応する使い切り情報を示す。図４に示すように、この使い切り情報は、希釈倍率と、農薬容器組合せとを対応付ける。図４の希釈倍率は、農薬容器を使い切るための希釈倍率の候補である。ここでは一例として、希釈倍率の候補が「１０００倍、１３３３倍、２０００倍」となっている。
【００２２】
希釈倍率を「１０００倍」にした場合における、使い切り可能な農薬容器の組合せは、次の（１）〜（３）のいずれかの組合せとなる。（１）「２５０ｍｌ」の農薬容器が４本。（２）「５００ｍｌ」の農薬容器が１本と、「２５０ｍｌ」の農薬容器が２本。（３）「５００ｍｌ」の農薬容器が２本。
【００２３】
希釈倍率を「１３３３倍」にした場合における、使い切り可能な農薬容器の組合せは、次の（４）、（５）のいずれかの組合せとなる。（４）「２５０ｍｌ」の農薬容器が３本。（５）「５００ｍｌ」の農薬容器が１本と、「２５０ｍｌ」の農薬容器が２本。
【００２４】
希釈倍率を「２０００倍」にした場合における、使い切り可能な農薬容器の組合せは、次の（６）、（７）のいずれかの組合せとなる。（６）「２５０ｍｌ」の農薬容器が２本。（７）「５００ｍｌ」の農薬容器が１本。
【００２５】
なお、希釈倍率「４０００倍」にした場合における、使い切り可能な農薬容器の組合せは、「２５０ｍｌ」の農薬容器が１本である。しかしながら、希釈倍率「４０００倍」は、Ｂ水溶剤の規定外の希釈倍率となる旨が示される。
【００２６】
制御部１５０は、受付部１５０ａと、判定部１５０ｂとを有する。制御部１５０は、ＡＳＩＣ（Application  Specific  Integrated  Circuit）や、ＦＰＧＡ（Field  Programmable  Gate  Array）などの集積装置に対応する。また、制御部１５０は、例えば、ＣＰＵ（Central  Processing  Unit）やＭＰＵ（Micro  Processing  Unit）等の電子回路に対応する。
【００２７】
受付部１５０ａは、入力部１２０から作付品目毎の使用条件の情報を受け付ける処理部である。受付部１５０ａは、受け付けた使用条件の情報を、判定部１５０ｂに出力する。例えば、「使用条件の情報」には、作付品目、農薬名、作付面積、希釈倍率、単位散布量、使用回数、タンク容量等を含む。また、タンク容量には、例えば、タンクが満タン時の容量およびタンクの目盛り情報が含まれる。目盛り情報は、例えば、容量１０００Ｌのタンクにおいて、１００Ｌ単位で目盛りが付されている等の情報に対応する。
【００２８】
判定部１５０ｂは、使用条件の情報を基にして、農薬を指定された希釈倍率で希釈してタンクを満たす場合に、農薬容器の農薬を使い切り、かつ、値段が低い農薬容器の容量の組合せを判定する処理部である。判定部１５０ｂは、判定結果を表示部１３０に出力する。以下において、判定部１５０ｂの処理について具体的に説明する。
【００２９】
まず、判定部１５０ｂは、タンク容量と、希釈倍率と、農薬名に対応する農薬容器の容量とを基にして、農薬容器の容量を使い切る組合せが存在するか否かを判定する。例えば、判定部１５０ｂは、式（１）に基づいて、タンクを満タンにする場合の農薬の必要量を算出する。
【００３０】
農薬の必要量＝農薬の容量／希釈倍率・・・（１）
【００３１】
判定部１５０ｂは、式（１）で求めた農薬の必要量を、農薬容器の各容量で除算し、除算した結果が自然数である場合に、農薬容器の容量を使い切る組合せが存在すると判定する。ここで、判定部１５０ｂは、農薬に対応する農薬容器を、使用条件の情報に含まれる農薬名と、農薬適用情報１４０ａとを比較することで特定する。
【００３２】
例えば、タンク容量が「５００Ｌ」、希釈倍率が「２０００」であり、農薬に対応する農薬容器が「２５０ｍｌ」となる場合について説明する。この場合、判定部１５０ｂは、式（１）を用いると、農薬の必要量が「０．２５Ｌ」となる。そして、判定部１５０ｂは、農薬の必要量を、農薬容器の容量「２５０ｍｌ（０．２５Ｌ）」で除算すると、除算結果が「１」となるため、農薬容器の容量を使い切る組合せが存在すると判定する。
【００３３】
例えば、タンク容量が「５００Ｌ」、希釈倍率が「２０００」であり、農薬に対応する農薬容器が「５００ｍｌ」となる場合について説明する。この場合、判定部１５０ｂは、式（１）を用いると、農薬の必要量が「０．２５Ｌ」となる。そして、判定部１５０ｂは、農薬の必要量を、農薬容器の容量「５００ｍｌ（０．５Ｌ）」で除算すると、除算結果が「０．５」となるため、農薬容器の容量を使い切る組合せが存在すると判定する。
【００３４】
なお、農薬に対応する農薬容器の容量が複数種類存在する場合もあり得る。この場合には、判定部１５０ｂは、いずれかの農薬容器の容量を用いて、農薬の必要量を除算した場合に、除算結果が自然数となるものが存在する場合には、農薬容器の容量を使い切る組合せが存在すると判定する。
【００３５】
判定部１５０ｂは、上記処理を実行し、農薬容器の容量を使い切る組合せが存在する場合には、見積処理を実行する。見積処理については後述する。これに対して、判定部１５０ｂは、農薬容器の容量を使い切る組合せが存在しない場合には、選択画面を表示部１３０に表示させ、「希釈倍率の変更」、「タンク容量の変更」、「最安値」のいずれかを選択させる。作業員は、選択画面を参照し、入力部１２０を操作して、「希釈倍率の変更」、「タンク容量の変更」、「最安値」のいずれかを選択する。
【００３６】
「希釈倍率の変更」を選択された場合の判定部１５０ｂの処理について説明する。判定部１５０ｂは、「希釈倍率の変更」を選択された場合には、農薬容器の容量を使い切ることができる希釈倍率の候補を表示させ、いずれかの希釈倍率を選択させる。
【００３７】
例えば、判定部１５０ｂは、使用条件の情報に含まれるタンク容量および農薬名の組と、使い切り表情報１４０ｂとを比較して、タンク容量および農薬名の組に対応する使い切り情報を抽出し、抽出した使い切り情報を、表示部１３０に表示させる。例えば、タンク容量が「１０００Ｌ」、農薬名が「Ｂ水溶剤」である場合には、図４に示した使い切り情報を、使い切り表情報１４０ｂから抽出し、表示部１３０に表示させる。
【００３８】
作業員は、表示部１３０に表示された使い切り情報を参照し、入力部１２０を操作して、いずれかの希釈倍率を選択する。判定部１５０ｂは、表示した希釈倍率のうち、いずれかの希釈倍率が選択された場合には、選択された希釈倍率によって、使用条件の希釈倍率を更新する。
【００３９】
「タンク容量の変更」を選択された場合の判定部１５０ｂの処理について説明する。判定部１５０ｂは、「タンク容量の変更」を選択された場合には、変更後のタンク容量の入力を受け付ける。この場合には、作業員は入力部１２０を操作して、タンク容量を入力する。
【００４０】
タンクには１００Ｌ単位、２００Ｌ単位の目盛りがついているため、この目盛りを用いることで、満杯ではなく、各目盛りまでの希釈を行うことができる。作業員は、この目盛りを参照して、タンク容量を入力する。例えば、タンク容量が「１０００Ｌ」で、タンクに２００Ｌ単位で目盛りがついている場合には、作業員は、８００Ｌ、６００Ｌ等をタンク容量として入力する。
【００４１】
判定部１５０ｂは、新たなタンク容量を受け付けた場合には、使用条件の情報のタンク容量を更新し、上記の式（１）を用いて、農薬容器の容量を使い切る組合せが存在するか否かを判定する。判定部１５０ｂは、農薬容器を使い切る組合せが存在する場合には、見積処理を実行する。これに対して、農薬容器を使い切る組合せが存在しない場合には、再度タンク容量の入力を受け付ける画面を表示させる。
【００４２】
なお、判定部１５０ｂは、使用条件の情報にタンク容量の目盛りに関する情報が含まれている場合には、上記処理を自動的に行ってもよい。例えば、判定部１５０ｂは、「タンク容量の変更」を選択された場合には、タンク容量と目盛り単位とを基にして、タンク容量の候補を判定する。例えば、タンク容量が「１０００Ｌ」で、タンクに２００Ｌ単位で目盛りがついている場合には、タンク容量の候補は「８００Ｌ、６００Ｌ、４００Ｌ、２００Ｌ」となる。判定部１５０ｂは、式（１）を用いて、各タンク容量の候補について、農薬容器を使い切る組合せが存在するか否かを判定していくことで、使い切る組合せに対応するタンク容量を、各タンク容量の候補から特定してもよい。判定部１５０ｂは、特定したタンク容量によって、使用条件のタンク容量を更新する。判定部１５０ｂは、使い切る組み合わせに対応する複数のタンク容量の候補が存在する場合には、例えば、最もタンク容量の大きい候補を選択しても良い。
【００４３】
「最安値」を選択された場合の判定部１５０ｂの処理について説明する。判定部１５０ｂは、「最安値」を選択された場合には、式（１）を基にして、農薬の必要量を算出し、この容量以上となる農薬容器の組合せの内、最安値となる農薬容器の組合せを判定する。最安値を選択された場合には、判定部１５０ｂは、使い切る農薬容器の組合せを判定しない。
【００４４】
次に、判定部１５０ｂが実行する見積処理の一例について説明する。判定部１５０ｂは、使用条件の情報を基にして、農薬総必要量を算出する。例えば、判定部１５０ｂは、式（２）に基づいて、農薬総必要量を算出する。
【００４５】
農薬総必要量（Ｌ）＝｛作付面積（ａ）／１０（ａ）×単位使用量（Ｌ／１０ａ）／希釈倍率｝×使用回数・・・（２）
【００４６】
判定部１５０ｂは、農薬総必要量を算出した後に、式（３）を用いて、タンク使用回数と、残りの農薬量を算出する。式（３）について、商がタンク使用回数に対応し、剰余が、残りの農薬量となる。
【００４７】
農薬総必要量／タンク容量（Ｌ）・・・（３）
【００４８】
次に、判定部１５０ｂは、農薬容器の容量を使い切る組合せのうち、最も値段の低い組合せを特定する。また、判定部１５０ｂは、残りの農薬量について、希釈前の農薬量を特定し、特定した農薬量以上となる農薬容器のうち、最も値段の低い農薬容器を特定する。そして、判定部１５０ｂは、特定した農薬容器と、タンク使用回数を基にして、農薬容器の総量および値段を算出する。概念的には、農薬容器の総量は、式（４）で表すことができる。なお、最も値段の低い組合せを算出する手法は、どのような従来技術を用いてもかまわない。
【００４９】
農薬容器の総量＝（農薬容器の容量を使い切る組合せ（最安））×タンク使用回数＋残りの農薬量に対する希釈前の農薬量以上となる農薬容器（最安）・・・（４）
【００５０】
例えば、農薬容器の容量を使い切る組合せ（最安）を、「５００ｍｌ」の農薬容器が１本と「２５０ｍｌ」の農薬容器が２本とし、タンク使用回数を「２」、残りの農薬量に対する希釈前の農薬量を「２００ｍｌ」とする。この場合には、例えば、農薬容器の総量は、「５００ｍｌ」の農薬容器が２本、「２５０ｍｌ」の農薬容器が４本、残りの農薬量に対応する農薬容器「２５０ｍｌ」が１本となる。
【００５１】
判定部１５０ｂは、上記算出結果を基にして、農薬の使用条件の情報、各農薬容器の種類、値段を表示部１３０に表示させる。図５は、判定部が表示部に表示させる画面の一例を示す図である。図５において、例えば、５０ａは、使用条件の情報が示される。５０ｂは、農薬容器の総量を示す。５０ｃは、１つのタンクについて、農薬容器を使い切る組合せが示される。５０ｄは、式（３）の余りに対応する農薬容器を示す。５０ｅは、農薬容器の総量に対応する値段を示す。なお、５０ａの使用条件の情報に含まれる希釈倍率や、タンク容量は、上記の処理の過程によって、適宜更新される。
【００５２】
以下において、複数の使用条件の情報と、各使用条件に対する判定部１５０ｂの見積結果の一例について説明する。図６は、各使用条件と適用情報との関係を示す図である。図６では、使用条件の情報として、使用条件６０ａ，６１ａ，６２ａを示す。また使用条件６０ａ，６１ａ，６２ａに対応する適用情報をそれぞれ、適用情報６０ｂ，６１ｂ，６２ｂとする。適用情報は、図２に示した農薬適用情報１４０ａに対応するものである。
【００５３】
使用条件６０ａに対する見積結果の一例について説明する。判定部１５０ｂが、式（１）に基づいてタンク満タン時の農薬の必要量を算出すると「農薬の必要量＝５００（Ｌ）／２０００＝０．２５（Ｌ）」となる。このため、例えば、農薬容器の容量を使い切る組合せは「２５０ｍｌ」の農薬容器「１本」となる。
【００５４】
判定部１５０ｂが、満タンのタンク１回分での散布面積を算出すると「散布面積＝５００（Ｌ）／２００（Ｌ／１０ａ）＝２．５（１０ａ）＝２５ａ」となる。また、判定部１５０ｂが、作付面積１回の農薬の必要量を算出すると「２３０／１０×２００／２０００＝２．３」となる。
【００５５】
判定部１５０ｂが、作付面積あたりの１回の散布農薬量を算出すると「散布農薬量＝２３０（ａ）／１０（ａ）×２００（Ｌ／１０ａ）＝４６００（Ｌ）」となる。判定部１５０ｂが、散布農薬量をタンク容量で除算すると「４６００（Ｌ）／５００（Ｌ）＝９余り１００（Ｌ）」となるため、タンク使用回数は「９回」となる。余りの１００Ｌは、タンク容量の「１／５」に相当する。このため、最後のタンク使用時の農薬の希釈前の農薬の量は「２５０ｍｌ」の農薬容器１／５本に対応する。
【００５６】
このため、使用回数１回あたり「２５０ｍｌ」の農薬容器が９本と１／５本となる。従って、使用回数が２回の場合には「２５０ｍｌ」の農薬容器が１８本と２／５本となり、この組合せが、見積結果となる。
【００５７】
使用条件６１ａに対する見積結果の一例について説明する。なお、使用条件６１ａでは、当初希釈倍率が「１５００倍」であったが、この希釈倍率では農薬容器の容量を使い切る組合せが存在しなかったため、「１６６７倍」に変更されたものとする。
【００５８】
判定部１５０ｂが、式（１）に基づいてタンク満タン時の農薬の必要量を算出すると「農薬の必要量＝５００（Ｌ）／１６６７≒０．３（Ｌ）」となる。このため、例えば、農薬容器の容量を使い切る組合せは「１００ｇ」の農薬容器「３本」となる。
【００５９】
判定部１５０ｂが、満タンのタンク１回分での散布面積を算出すると「散布面積＝４００（Ｌ）／２００（Ｌ／１０ａ）＝２．５（１０ａ）＝２５ａ」となる。また、判定部１５０ｂが、作付面積１回の農薬の必要量を算出すると「５０（ａ）／２５（ａ）×３（本）＝６（本）」となる。
【００６０】
判定部１５０ｂが、作付面積あたりの１回の散布農薬量を算出すると「散布農薬量＝５０（ａ）／１０（ａ）×２００（Ｌ／１０ａ）＝１０００（Ｌ）」となる。判定部１５０ｂが、散布農薬量をタンク容量で除算すると「１０００（Ｌ）／５００（Ｌ）＝２余り０」となるため、タンク使用回数は「２回」となる。
【００６１】
このため、使用回数１回あたり「１００ｇ」の農薬容器が「３本×２＝６本」となる。従って、使用回数が２回の場合には「１００ｇ」の農薬容器が１２本となり、この組合せが、見積結果となる。
【００６２】
使用条件６２ｂに対する見積結果の一例について説明する。判定部１５０ｂが、式（１）に基づいてタンク満タン時の農薬の必要量を算出すると「農薬の必要量＝５００（Ｌ）／２０００＝０．２５（Ｌ）」となる。このため、例えば、農薬容器の容量を使い切る組合せは「２５０ｍｌ」の農薬容器「１本」となる。
【００６３】
判定部１５０ｂが、満タンのタンク１回分での散布面積を算出すると「散布面積＝５００（Ｌ）／２００（Ｌ／１０ａ）＝２．５（１０ａ）＝２５ａ」となる。また、判定部１５０ｂが、作付面積１回の農薬の必要量を算出すると「１１０／１０×２００／２０００＝１．１」となる。
【００６４】
判定部１５０ｂが、作付面積あたりの１回の散布農薬量を算出すると「散布農薬量＝１１０（ａ）／１０（ａ）×２００（Ｌ／１０ａ）＝２２００（Ｌ）」となる。判定部１５０ｂが、散布農薬量をタンク容量で除算すると「２２００（Ｌ）／５００（Ｌ）＝４余り２００（Ｌ）」となるため、タンク使用回数は「４回」となる。余りの２００Ｌは、タンク容量の「２／５」に相当する。このため、最後のタンク使用時の農薬の希釈前の農薬の量は、「２５０ｍｌ」の農薬容器２／５本に対応する。
【００６５】
このため、使用回数１回あたり「２５０ｍｌ」の農薬容器が４本と２／５本となる。従って、使用回数が３回の場合には「２５０ｍｌ」の農薬容器が１３本と１／５本となり、この組合せが、見積結果となる。
【００６６】
判定部１５０ｂは、上記の使用条件６０ａ〜６２ａに対する見積結果を算出した後に、各農薬容器の組合せを合計する。例えば、使用条件６０ａに対する見積結果が「２５０ｍｌ」の農薬容器が１８本と２／５本である。使用条件６１ａに対する見積結果が「１００ｇ」の農薬容器が１２本である。使用条件６２ａに対する見積結果が「２５０ｍｌ」の農薬容器が１３本と１／５本である。ここで、使用条件６０ａの農薬「Ａ乳剤」と使用条件「Ｃ乳剤」とが同じような成分である場合には、判定部１５０ｂは、使用条件６０ａに対する見積結果と、使用条件６２ａに対する見積結果とを合計してもよい。同じ成分であるか否かの情報は、予め、農薬見積装置１００に入力しておけばよい。
【００６７】
例えば、判定部１５０ｂが、使用条件６０ａ，６２ａの各見積結果を合計すると、「２５０ｍｌ」の農薬容器が３１本と３／５本となる。また、判定部１５０ｂは、３／５本を丸めて１本とし、使用条件６０ａ，６２ａの各見積結果を「２５０ｍｌ」の農薬容器が３２本としてもよい。なお、「２５０ｍｌ」の農薬容器の値段を「２４７０円」、「１００ｇ」の農薬容器の値段を「９２０円」とすると、合計金額は（２４７０円×３２＋９２０×６＝８４，５６０円）「８４，５６０円」となる。
【００６８】
次に、本実施例に係る農薬見積装置１００の処理手順の一例について説明する。図７は、本実施例に係る農薬見積装置の処理手順を示すフローチャートである。図７に示すように、農薬見積装置１００は、使用条件を受け付け（ステップＳ１０１）、使い切りの組合せを判定する（ステップＳ１０２）。
【００６９】
農薬見積装置１００は、使い切りの組合せが存在するか否かを判定する（ステップＳ１０３）。農薬見積装置１００は、使い切りの組合せが存在する場合には（ステップＳ１０３，Ｙｅｓ）、見積処理を実行する（ステップＳ１０４）。農薬見積装置１００は、他の見積が有るか否かを判定する（ステップＳ１０５）。農薬見積装置１００は、他の見積が有る場合には（ステップＳ１０５，Ｙｅｓ）、ステップＳ１０１に移行する。一方、農薬見積装置１００は、他の見積がない場合には（ステップＳ１０５，Ｎｏ）、見積結果を表示する（ステップＳ１０６）。
【００７０】
一方、ステップＳ１０３において、農薬見積装置１００は、使い切りの組合せが存在しない場合には（ステップＳ１０３，Ｎｏ）、希釈倍率変更、タンク設定変更および最安値のいずれかを選択させる（ステップＳ１０７）。
【００７１】
農薬見積装置１００は、「最安値」が選択された場合には（ステップＳ１０７，最安値）、最安値の農薬容器の組合せを選択し（ステップＳ１０８）、ステップＳ１０４に移行する。
【００７２】
農薬見積装置１００は、「タンク設定変更」が選択された場合には（ステップＳ１０７，タンク設定変更）、タンク設定変更による「使い切り」組合せを判定する。また、農薬見積装置１００は、判定結果を表示し、いずれかの組合せの選択を受け付ける（ステップＳ１０９）。
【００７３】
農薬見積装置１００は、「使い切り」組合せを選択された場合には（ステップＳ１１０，Ｙｅｓ）、ステップＳ１０４に移行する。一方、農薬見積装置１００は、「使い切り」組合せが選択されない場合には（ステップＳ１１０，Ｎｏ）、ステップＳ１０７に移行する。
【００７４】
農薬見積装置１００は、「希釈倍率変更」が選択された場合には（ステップＳ１０７，希釈倍率変更）、希釈倍率変更による「使い切り」組合せを判定する。また、農薬見積装置１００は、判定結果を表示し、いずれかの組合せの選択を受け付け（ステップＳ１１１）、ステップＳ１１０に移行する。
【００７５】
次に、図７のステップＳ１０１に示した使用条件を受け付ける処理について具体的に説明する。図８は、使用条件を受け付ける処理手順を示すフローチャートである。農薬見積装置１００は、作付品目の選択を受け付け（ステップＳ２０１）、農薬の選択を受け付け（ステップＳ２０２）、作付面積を受け付ける（ステップＳ２０３）。
【００７６】
農薬見積装置１００は、希釈倍率を受け付け（ステップＳ２０４）、単位散布量の指定を受け付ける（ステップＳ２０５）。農薬見積装置１００は、使用回数の指定を受け付け（ステップＳ２０６）、使用タンク容量を受け付ける（ステップＳ２０７）。
【００７７】
次に、本実施例に係る農薬見積装置１００の効果について説明する。農薬見積装置１００は、作業員に指定されたタンク容量や希釈倍率等を含む使用条件の情報を受け付けた場合に、タンクに対して使い切り可能な農薬容器の組み合わせのうち、最安値となる農薬容器の組み合わせを判定して表示させる。このため、農薬見積装置１００によれば、最適な農薬容器の組み合わせを見積もることが出来る。
【００７８】
また、本実施例に係る農薬見積装置１００は、作業員に指定された使用条件の情報において、タンク容量に対して使い切り可能な農薬容器の組み合わせが存在しない場合には、農薬容器を使い切る組み合わせの存在する希釈倍率の候補を表示部１３０に表示させ、利用者に選択させる。このため、作業員がはじめに指定した希釈倍率に対する使い切り可能な農薬容器の組み合わせが存在しない場合にでも、希釈倍率を変えれば使い切り可能な組み合わせが存在することを作業員に通知できる。
【００７９】
また、本実施例に係る農薬見積装置１００は、作業員に指定された使用条件の情報において、タンク容量に対して使い切り可能な農薬容器の組み合わせが存在しない場合には、農薬容器を使い切る組み合わせの存在するタンク容量に変更する。このため、タンク容量（満タン時）に対する組み合わせが存在しない場合でも、タンク容量を目盛りに応じて変更することで、農薬容器を使い切る組み合わせを通知することができる。
【００８０】
また、本実施例に係る農薬見積装置１００は、農薬の単位散布量、使用回数、作付品目、作付面積等を基にして、農薬の総使用量を算出し、この総使用量をタンク容量で除算し、除算結果と、該タンク容量に対応する使い切りの農薬容器の組み合わせを基に、全体で必要となる農薬容器の組み合わせを算出する。このため、農薬の総使用量を補うことができ、かつ、タンク容量に対して使い切りの農薬容器の組み合わせを特定することができる。例えば、タンク容量に対する使い切りの組み合わせが、２５０ｍｌの農薬容器２本であり、ある農地に農薬を散布する際、タンク容量×２の農薬の総使用量を補うことが必要な場合には、使い切りの組み合わせとして、２５０ｍｌの農薬容器４本を通知出来る。例えば、作業員は、１回目の希釈作業において、農薬容器２本を使い切り、２回目の希釈作業において、農薬容器２本を使い切ることとなり、希釈作業が容易となる。
【００８１】
ところで、本実施例において説明した各処理のうち、自動的に行われるものとして説明した処理の全部または一部を手動的に行うこともでき、あるいは、手動的に行われるものとして説明した処理の全部あるいは一部を公知の方法で自動的に行うこともできる。この他、上記文書中や図面中で示した処理手順、制御手順、具体的名称、各種のデータやパラメータを含む情報については、特記する場合を除いて任意に変更することができる。
【００８２】
さらに、各装置にて行われる各処理機能は、その全部または任意の一部がＣＰＵおよび当該ＣＰＵにて解析実行されるプログラムにて実現され、あるいは、ワイヤードロジックによるハードウェアとして実現され得る。
【符号の説明】
【００８３】
１００    農薬見積装置
１１０    通信部
１２０    入力部
１３０    表示部
１４０    記憶部
１４０ａ  農薬適用情報
１４０ｂ  使い切り表情報
１５０    制御部
１５０ａ  受付部
１５０ｂ  判定部
【図１】
2015185072.tif 000003
【図２】
2015185072.tif 000004
【図３】
2015185072.tif 000005
【図４】
2015185072.tif 000006
【図５】
2015185072.tif 000007
【図６】
2015185072.tif 000008
【図７】
2015185072.tif 000009
【図８】
2015185072.tif 000010